(57)【特許請求の範囲】
【請求項１】
糸との繋着部を有し先端に針が突設された本体と、
この本体に起伏動作可能に設けられ所定の起立角度まで引き起こし可能な可動フックとを備え、
前記本体に、磁石が内蔵され、
前記可動フックが磁性体金属からなり、常態では前記磁石の磁力によって、前記本体に形成されたフック収納部内に保持されることを特徴とするかるこ。
【請求項２】
可動フックを起立した状態に保持する係止突起が形成されたことを特徴とする請求項１に記載のかるこ。
【発明の詳細な説明】
【０００１】
【発明の属する技術分野】
本発明は、建築工事の際の線引き作業や糸張り等に用いられる糸の端部を固定するためのかるこに関するものである。
【０００２】
【従来の技術】
この種のかるこの典型的な従来技術が、実開平６−５６３５８号公報に開示されている。すなわちこのかるこは、墨壷等から引き出される糸の先端に繋着される本体の先端に針が突設され、この針と反対側の端部にフックが取り付けられ、更に磁石が内蔵されたものである。
【０００３】
かるこは、建築工事における線引き等に用いる糸を張設するために、この糸の端部を対象物に固定するものである。上記公報に開示された従来のかるこは、糸張りの起点位置や対象物の材質等に応じて、止着手段として針あるいは複数のフック機構を選択することができる。
【０００４】
【発明が解決しようとする課題】
従来のかるこによれば、かるこ本体にフックが固定的に取り付けられているので、フックによる止着を行わない場合は、このフックの存在が邪魔であり、かるこ全体のサイズも大きなものとなってしまう。しかもこのフックは、引っ掛かりやすくする目的で、折れ曲がった先端部が、プレス打ち抜き加工により生じた抜きバリを利用した比較的鋭利なものになっているため、部材を傷付けやすく、対象物に針を刺し込むことによってかるこを止着する時などに、過ってフックをつまんで押圧したりすると、不慮の怪我をする恐れもある。
【０００５】
また、本体に設けられた磁石は、フックによる止着を補助するものであり、磁石の吸着力のみに依存して止着することは困難であった。
【０００６】
本発明は、上記のような問題に鑑みてなされたもので、その主な技術的課題とするところは、フックが邪魔にならず、フックによる大型化を防止すると共に、使い勝手の良いかるこを提供することにある。
【０００７】
【課題を解決するための手段】
上述した技術的課題を有効に解決するための手段として、本発明に係るかるこは、糸との繋着部を有し先端に針が突設された本体と、この本体に起伏動作可能に設けられ所定の起立角度まで引き起こし可能な可動フックとを備え、前記本体に、磁石が内蔵され、前記可動フックが磁性体金属からなり、常態では前記磁石の磁力によって、前記本体に形成されたフック収納部内に保持されるものである。また、本発明において付加される一層好ましい構成としては、前記本体に、前記可動フックを起立した状態に保持する係止突起が形成される。
【０００８】
【発明の実施の形態】
図１及び図２は、本発明に係るかるこの好ましい実施の形態を示すもので、すなわちこのかるこ１は、本体１１と、この本体１１の長手方向一端に突設された針１２と、前記本体１１における前記針１２と反対側の端部近傍に取り付けられた可動フック１３と、前記本体１１に包蔵された磁石１４と、この磁石１４の両磁極に添設されて一部が本体１１から露出した一対のヨーク１５，１５とからなる。
【０００９】
本体１１は、ＡＢＳ等の合成樹脂材によって、針１２の軸心方向へ細長い形状に成形されたものであって、平坦な設置面１１１と、その反対側のイカの胴のような流線形状に形成された背面１１２と、前記設置面１１１と背面１１２の間の両側面に形成された摘み部１１３と、針１２側の端部近傍に形成された糸繋着溝１１４及び糸案内溝１１４ａと、前記針１２と反対側の端部近傍に開設された掛止孔１１５と、この掛止孔１１５の開口位置に対応して前記設置面１１１の隣接位置に凹設形成されたフック収納部１１６と、このフック収納部１１６の両側に位置して形成された一対のフック支持部１１７とを有する。前記摘み部１１３は帯状の平坦な凹状に形成され、この摘み部１１３と前記背面１１２との間には、手指の滑り止めとなる段差部１１３ａが形成されている。
【００１０】
針１２は硬質の鋼材からなるものであって、その基部１２ａが本体１１の長手方向一端に埋設固定されている。
【００１１】
可動フック１３はＳＵＳ等の磁性体金属からなるものであって、本体１１のフック支持部１１７，１１７に開設された小孔１１７ａ，１１７ａにそれぞれ回転可能に挿入された一対の支持突起１３１，１３１と、この支持突起１３１から延び前記本体１１のフック収納部１１６内に遊嵌可能なアーム１３２と、このアーム１３２の可動端から幅方向両側へ突出形成された一対の操作突起１３３とを有する。前記小孔１１７ａ，１１７ａは、針１２の軸心と直交する方向に並んでおり、したがって可動フック１３は、前記支持突起１３１，１３１を中心として針１２の軸心と直交する仮想軸線の周りに起伏動作可能となっている。
【００１２】
可動フック１３のアーム１３２には、支持突起１３１，１３１側の端部へ向けて開いたＵ字形の切欠部１３ａが形成されている。この切欠部１３ａは、本体１１のフック収納部１１６に遊嵌された状態において前記本体１１の掛止孔１１５と重合するようになっている。また、可動フック１３の操作突起１３３，１３３は、前記アーム１３２が前記フック収納部１１６に遊嵌された状態において、前記本体１１の両側縁から僅かに突出する突出高さに形成されている。
【００１３】
磁石１４は、本体１１の内部に完全に包蔵された状態で固定されており、その幅方向両側の磁極に添設された一対のヨーク１５，１５は、強磁性体、例えばＳＰＣＣ等の金属板からなり、本体１１の長手方向に互いに平行に延びている。各ヨーク１５の長手方向の縁部１５ａは、それぞれ前記本体１１における設置面１１１に露出しており、その一端がフック収納部１１６の近傍まで延びている。
【００１４】
フック支持部１１７のフック収納部１１６側の端壁は、可動フック１３の起立角度を規定するためのストッパ１１７ｂとなっている。すなわち、図２に一点鎖線で示されるように、可動フック１３をフック収納部１１６から引き起こした時に、アーム１３２の背面が前記ストッパ１１７ｂと当接することによって、前記起立角度が、本体１１の設置面１１１に対して直角よりもやや鋭角となる角度に制限される。
【００１５】
また、先に説明したように、磁石１４に添設された各ヨーク１５の縁部１５ａの一端が、フック収納部１１６の近傍まで延びているため、磁性体金属からなる可動フック１３は、非使用時には前記各ヨーク１５の縁部１５ａからの磁力によって、フック収納部１１６内に倒れ込んで収納された状態にある。
【００１６】
上述のように構成されたかるこ１は、墨打ち糸や、水糸等の張設のために用いられるもので、以下の説明では、墨打ち糸の張設に用いられるものとして説明する。
【００１７】
図３乃至図６において、参照符号２は、図示されていない墨壷から引き出された墨打ち糸である。この墨打ち糸２は、かるこ１の本体１１における糸繋着溝１１４に繋着されると共に、糸案内溝１１４ａを経由して針１２の根元に巻き付けられ、前記墨壷側へ延びている。
【００１８】
墨打ち作業においては、墨打ち糸２の先端に繋着された上記かるこ１を、図３乃至図６に示されるように、墨打ち対象物Ｗの材質等に応じた種々の方法によって、この墨打ち対象物Ｗの表面における一方の墨打ち起点に止着してから、墨壷を他方の墨打ち起点へ向けて移動させることによって、この墨壷から移動距離に対応する長さだけ墨打ち糸２を繰り出し、繰り出しの過程で墨壷の墨汁が付着した前記墨打ち糸２を、前記両起点間に張設する。そして、この墨打ち糸２を手指ではじいて墨打ち対象物Ｗの表面に打ち付けることによって、墨打ち糸２と対応する墨線を転写する。
【００１９】
図３に示される止着方法においては、墨打ち対象物Ｗが木材等である場合に、本体１１の摘み部１１３を手指でつまんで、針１２を墨打ち対象物Ｗへ突き刺すことによって、かるこ１を墨打ち起点に止着している。このとき、可動フック１３は、本体１１の内部の磁石１４から各ヨーク１５の縁部１５ａを介して作用する磁力によって、フック収納部１１６内に収納された状態にあるので、邪魔にならず、安全である。
【００２０】
次に図４に示される止着方法においては、コンクリート等の硬質の墨打ち対象物Ｗにコンクリート釘３を打ち込み、このコンクリート釘３に、本体１１の掛止孔１１５を差し込んで引っ掛けることによって、かるこ１を止着している。このとき、本体１１のフック収納部１１６に遊嵌された状態にある可動フック１３の切欠部１３ａは、前記掛止孔１１５と重合しているので、前記コンクリート釘３は、この切欠部１３ａ及び掛止孔１１５の双方を貫通している。また、前記本体１１は、平坦な設置面１１１が墨打ち対象物Ｗを向くように前記コンクリート釘３に掛止される。
【００２１】
次に図５に示される止着方法においては、かるこ１を、本体１１に内蔵された磁石１４の磁力によって、鉄材等の磁性体からなる墨打ち対象物Ｗに止着している。この場合も、可動フック１３は、磁力によってフック収納部１１６内に遊嵌され収納された状態にある。また、前記本体１１は、背面１１２が丸みを帯びた流線形状に形成されているので、墨打ち対象物Ｗへの吸着は、平坦な設置面１１１側で行われる。前記ヨーク１５は板状であるために、設置面１１１に露出した各ヨーク１５の縁部１５ａでは磁束密度が大きく、しかもこのヨーク１５は、前記磁石１４の両磁極からの磁気回路を同一方向へ導出するものであるため、強い磁力が得られ、この磁力のみでもかるこ１をしっかりと止着することができる。
【００２２】
また、墨打ち作業終了後は、強い磁力によって墨打ち対象物Ｗの表面に吸着したかるこ１を、本体１の側面の摘み部１１３を手指で摘んで、前記磁力に抗して引き離すが、このとき、前記摘み部１１３と背面１１２との間に形成された段差部１１３ａが手指の滑り止めとなる。
【００２３】
次に図６に示される止着方法においては、可動フック１３を本体１１のフック収納部１１６から引き起こし、これを墨打ち対象物Ｗの端縁Ｗａに引っ掛けることによってかるこ１を止着している。可動フック１３の可動端部には、本体１１の両側縁から僅かに突出する突出高さの操作突起１３３，１３３を有するため、これを手指でつまむことによって、フック収納部１１６からの可動フック１３の引き起こしを容易に行うことができる。
【００２４】
また、墨打ち作業終了後は、墨打ち対象物Ｗの端縁Ｗａからかるこ１を取り外せば、可動フック１３は、ヨーク１５からの磁力によって、フック収納部１１６へ向けて倒れ、フック収納部１１６内に自動的に収納される。
【００２５】
なお、図７に本発明による実施の他の形態を示すように、可動フック１３を所定の起立角度まで引き起こすことによって、その起立状態が保持されるようにすることも好ましい。
【００２６】
すなわち、図７に示されるかるこ１においては、本体１１のフック支持部１１７の内側面に、係止突起として、一対の半球状の小突起１１７ｃ(図では片側の小突起１１７ｃのみ示される)が、フック収納部１１６から引き起こした可動フック１３のアーム１３２の前面両縁部とそれぞれ干渉可能な位置に、互いに対応して形成されている。また、可動フック１３は、切欠部１３ａによってアーム１３２が僅かに弾性変形可能であるため、手指で起伏動作させる過程で、前記アーム１３２の両側面が、各小突起１１７ｃの半球面に摺接して弾性変形しながら、この小突起１１７ｃを容易に乗り越えることができるようになっている。
【００２７】
この構成によれば、可動フック１３は、その背面が本体１１におけるストッパ１１７ｂと当接される角度まで引き起こされる過程で、アーム１３２の両側面が、本体１１における各小突起１１７ｃの半球面を乗り越えて係止状態となる。すなわち、引き起こされた可動フック１３は、磁石１４に設けられたヨーク１５からの磁力によって、フック収納部１１６へ倒れ込もうとしても、このような動作は、前記アーム１３２の前面両側縁が、前記小突起１１７ｃとの干渉によって係止されているので、可動フック１３は起立状態に保持される。したがって、先の図６のように可動フック１３を墨打ち対象物の端縁に引っ掛ける過程で、この可動フック１３が不用意に倒れたりするのを防止することができる。
【００２８】
また、この構成においては、墨打ち作業終了後に墨打ち対象物Ｗの端縁Ｗａからかるこ１を取り外したら、可動フック１３を手指で倒すように押すことによって、アーム１３２の両側面が、本体１１における各小突起１１７ｃの半球面を乗り越え、以後は、ヨーク１５からの磁力によって、フック収納部１１６内に自動的に倒れ込んで収納される。
【００２９】
なお、本発明のかるこ１は、上述のような墨壷による墨打ち作業以外にも、例えば着色粉体を付着させた糸によって線引きを行うチョークラインと呼ばれる線引き具の糸張設手段や、水糸の張設手段としても適用可能である。
【００３０】
【発明の効果】
本発明に係るかるこによると、フックが可動であって、必要に応じて引き起こされ、非使用時は磁力によって本体に収容された状態とすることができるため、邪魔にならず、かるこ全体がコンパクトになって、安全性も高まる。
【図面の簡単な説明】
【図１】本発明に係るかるこの好ましい実施形態を示すもので、（Ａ）は背面側の斜視図、（Ｂ）は可動フックを引き起こした状態の設置面側の斜視図である。
【図２】上記かるこの断面図である。
【図３】上記かるこの止着方法を示す斜視図である。
【図４】上記かるこの止着方法を示す斜視図である。
【図５】上記かるこの止着方法を示す斜視図である。
【図６】上記かるこの止着方法を示す斜視図である。
【図７】本発明に係るかるこの好ましい他の実施形態を示す、可動フックを引き起こした状態の設置面側の斜視図である。
【符号の説明】
１  かるこ
１１  本体
１１３  摘み部
１１３ａ  段差部(滑り止め部)
１１５  掛止孔
１１６  フック収納部
１１７ｃ  小突起(係止突起)
１２  針
１３  可動フック
１４  磁石
１５  ヨーク
２  線引き糸
【図１】
0004580059.tif 000002
【図２】
0004580059.tif 000003
【図３】
0004580059.tif 000004
【図４】
0004580059.tif 000005
【図５】
0004580059.tif 000006
【図６】
0004580059.tif 000007
【図７】
0004580059.tif 000008